(57)【要約】【課題】駐車場に駐車した自車を簡単に見つけ出すことができる自車サーチシステムを提供すること。【解決手段】車両１０に搭載された受信機１とＬＥＤ（光源）２及び該ＬＥＤ２を点灯制御するコントローラ３と、車両１０とは独立した発信機４を含んで自車サーチシステムを構成し、車両１０から離れた位置から発信された前記発信機４からの信号を駐車中の車両１０に搭載された前記受信機１から受信すると、前記コントローラ３が前記ＬＥＤ２を点灯させ、その光を駐車場５０の天井５１に向けて照射することによって自車１０を見つけ出すようにする。この場合、前記ＬＥＤ２から出射して駐車場５０の天井５１に向けて照射される光の色を自車１０に固有のものに設定したり、光の照射パターンを自車１０に固有のものに設定することができる。【選択図】図２
2015098677.tif 000002
【特許請求の範囲】
【請求項１】
車両に搭載された受信機と光源及び該光源を点灯制御するコントローラと、車両とは独立した発信機を含んで構成され、
車両から離れた位置から発信された前記発信機からの信号を駐車中の車両に搭載された前記受信機から受信すると、前記コントローラが前記光源を点灯させ、その光を駐車場の天井に向けて照射することによって自車を見つけ出すようにしたことを特徴とする自車サーチシステム。
【請求項２】
前記光源から出射して駐車場の天井に向けて照射される光の色を自車に固有のものに設定したことを特徴とする請求項１記載の自車サーチシステム。
【請求項３】
前記光源から出射して駐車場の天井に向けて照射される光の照射パターンを自車に固有のものに設定したことを特徴とする請求項１記載の自車サーチシステム。
【請求項４】
前記光源をＬＥＤで構成し、該ＬＥＤから出射する光の配光を制御するレンズを設けたことを特徴とする請求項１〜３の何れかに記載の自車サーチシステム。
【発明の詳細な説明】
【技術分野】
【０００１】
本発明は、駐車場に駐車してある多数の車両の中から自車を光学的に簡単に見つけ出すようにした自車サーチシステムに関するものである。
【背景技術】
【０００２】
広い駐車場に駐車してある多数の車両の中から自車を見つけ出すことが困難である場合がある。
【０００３】
ところで、最近の車両には、鍵（メカニカルキー）を使用することなく、運転者が携帯する発信機によって電気的或いは光学的な信号を車載の受信機に対して送信することによってドアの施錠や解錠を遠隔で行うことができるキーレスエントリー装置が備えられている（例えば、特許文献１，２参照）。斯かるキーレスエントリー装置によってドアを施錠又は解錠した場合には、その作動完了を音声やハザードランプの点滅によって報知するようにしている。
【先行技術文献】
【特許文献】
【０００４】
【特許文献１】特開平４−０４４７７２号公報
【特許文献２】特開２０００−１７９２０５号公報
【発明の概要】
【発明が解決しようとする課題】
【０００５】
しかしながら、キーレスエントリー装置による音声やハザードランプの点滅によって、自車を広い駐車場に駐車してある多数の車両の中から見つけ出すことは困難であることが多い。例えば、自車から遠く離れている場合には音声を聞き取ったり、ハザードランプの点滅を視認することは不可能であり、特にハザードランプの点滅は他車に遮られるために遠くからこれを確認することができない場合が多い。
【０００６】
本発明は上記問題に鑑みてなされたもので、その目的とする処は、駐車場に駐車した自車を簡単に見つけ出すことができる自車サーチシステムを提供することにある。
【課題を解決するための手段】
【０００７】
上記目的を達成するため、請求項１記載の発明は、車両に搭載された受信機と光源及び該光源を点灯制御するコントローラと、車両とは独立した発信機を含んで自車サーチシステムを構成し、車両から離れた位置から発信された前記発信機からの信号を駐車中の車両に搭載された前記受信機から受信すると、前記コントローラが前記光源を点灯させ、その光を駐車場の天井に向けて照射することによって自車を見つけ出すようにしたことを特徴とする。
【０００８】
請求項２記載の発明は、請求項１記載の発明において、前記光源から出射して駐車場の天井に向けて照射される光の色を自車に固有のものに設定したことを特徴とする。
【０００９】
請求項３記載の発明は、請求項１記載の発明において、前記光源から出射して駐車場の天井に向けて照射される光の照射パターンを自車に固有のものに設定したことを特徴とする。
【００１０】
請求項４記載の発明は、請求項１〜３の何れかに記載の発明において、前記光源をＬＥＤで構成し、該ＬＥＤから出射する光の配光を制御するレンズを設けたことを特徴とする。
【発明の効果】
【００１１】
請求項１記載の発明によれば、天井を備える駐車場に駐車した自車を見つけられない場合には、携帯する発信機によって信号を発信すると、自車に搭載された受信機がその信号を受信し、コントローラが動作して光源を点灯させ、その光を駐車場の天井に向けて照射するようにしたため、天井に照射される光の位置によって自車を簡単に見つけ出すことができる。
【００１２】
請求項２記載の発明によれば、光源から出射して駐車場の天井に向けて照射される光の色を自車に固有のものに設定し、請求項３記載の発明によれば、光の照射パターンを自車に固有のものに設定したため、同様のシステムを備えた車両が複数あって、複数のシステムが同時に作動したときであっても、自車に固有の光の色や照射パターン（点滅の速度や時間間隔等）によって自車を他車と混同することなく確実に見つけ出すことができる。
【００１３】
請求項５記載の発明によれば、ＬＥＤから出射する指向性の強い光をレンズによって拡散させて配光を制御することができ、駐車場の天井の自車の真上の所定の領域を照らすことができるために自車を簡単に見つけ出すことができる。
【図面の簡単な説明】
【００１４】
【図１】本発明に係る自車サーチシステムの構成を示すブロック図である。
【図２】本発明に係る自車サーチシステムの作動状態を示す斜視図である。
【図３】図２のＡ部拡大詳細図である。
【図４】図３のＢ部拡大詳細図である。
【図５】ＬＥＤとレンズの断面図である。
【発明を実施するための形態】
【００１５】
以下に本発明の実施の形態を添付図面に基づいて説明する。
【００１６】
図１は本発明に係る自車サーチシステムの構成を示すブロック図、図２は同自車サーチシステムの作動状態を示す斜視図、図３は図２のＡ部拡大詳細図、図４は図３のＢ部拡大詳細図、図５はＬＥＤとレンズの断面図である。
【００１７】
本発明に係る自車サーチシステムは、天井を有する駐車場に駐車している多数の車両の中から自車を光学的に見つけ出すためのものであって、図１に示すように、車両に搭載された受信機１と光源２及び該光源２を点灯制御するコントローラ（ＥＣＵ）３と、車両とは独立した発信機４を含んで構成されている。
【００１８】
本実施の形態では、光源２はＬＥＤ（図５参照）で構成されており、このＬＥＤ２と該ＬＥＤ２から上方に向かって出射する光の配光を制御するレンズ（図５参照）５とは、図３及び図４に示すように、図２に示す車両１０の前部左側（図２の右側）のヘッドランプ１１の近傍に配置されている。又、前記発信機４は、キーレスエントリー装置に使用されるものと同じであって、通常は運転者２０が携帯しているものである。
【００１９】
而して、図２に示すように、天井５１を有する広い駐車場５０に駐車している自車１０の位置を忘れてしまったために自車１０を見つけることができない場合には、図２に示すように、運転者２０が携帯する発信機４の操作ボタンを押すと、該発信機４からコード化されたＩＤを含む信号が発信される。すると、駐車場５０に駐車している車両（自車）１０に搭載された受信機１がその信号を受信し、この受信した信号をコントローラ３に送信する。
【００２０】
コントローラ３は、受信機１からの信号を受け取ると、この信号に含まれるＩＤが登録されているＩＤと一致するか否かを判定し、両者が一致した場合には、バッテリからＬＥＤ２に電流を供給して該ＬＥＤ２を起動する。すると、ＬＥＤ２が発光し、その光はレンズ５によって拡散しながら上方の天井５１に向けて照射され、図２に示すように、自車１０の上方の天井５１の所定のエリアＲをスポット的に丸く照らす。従って、運転者２０は、駐車場５０の天井５１に照射される光を目安としてその方向に移動し、駐車場５０に駐車してある多くの車両の中から自車１０を簡単に見つけ出すことができる。
【００２１】
尚、本発明に係る自車サーチシステムにおける発信機４からの信号の発信は、キーレスエントリー装置に用いられる施錠及び解錠ボタンを共用して行っても良く、或いは施錠及び解錠ボタンとは別に設けられた専用のボタンの操作によって行うようにしても良い。又、天井５１への光の照射は、自車１０を見つけ出すまでの間行えば良いため、自車１０が見つけられてドアは開かれた時点、或いはドアが閉じられた時点で天井５１への光の照射を終了すようにすれば良い。
【００２２】
ところで、ＬＥＤ２から出射して駐車場５０の天井５１に向けて照射される光の色を自車１０に固有のものに設定し、或いは光の照射パターンを自車１０に固有のものに設定すれば、同様のシステムを備えた車両が複数あって、複数のシステムが同時に作動したときであっても、自車１０に固有の光の色や照射パターン（点滅の速度や時間間隔等）によって自車１０を他車と混同することなく確実に見つけ出すことができる。
【００２３】
以上の説明で明らかなように、本発明によれば、天井５１を備える駐車場５０に駐車した自車１０を見つけられない場合には、携帯する発信機４によって信号を発信すると、自車１０に搭載された受信機１がその信号を受信し、コントローラ３が動作して光源であるＬＥＤ２を点灯させ、その光を駐車場５０の天井５１に向けて照射するようにしたため、天井５１に照射される光の位置によって自車１０を簡単に見つけ出すことができる。
【００２４】
又、光源であるＬＥＤ２から出射する光の配光を制御するレンズ５を設けたため、ＬＥＤ２から出射する指向性の強い光をレンズ５によって拡散させて配光を制御することができ、駐車場５０の天井５１の自車１０の真上の所定の領域を照らすことができるために自車１０を簡単に見つけ出すことができる。
【符号の説明】
【００２５】
１      受信機
２      ＬＥＤ（光源）
３      コントローラ（ＥＣＵ）
４      発信機
５      レンズ
１０    自車（車両）
１１    ヘッドランプ
２０    運転者
５０    駐車場
５１    駐車場の天井
Ｒ      光の照射エリア
【図１】
2015098677.tif 000003
【図２】
2015098677.tif 000004
【図３】
2015098677.tif 000005
【図４】
2015098677.tif 000006
【図５】
2015098677.tif 000007